(57)【要約】【課題】  ハンドル摘みに対する指の挟持方向が規定されず、また、ハンドル摘みに対して指がフィットし易い、握持性および魚信感度に優れた魚釣用リールのハンドルの提供を目的としている。【解決手段】  本発明の魚釣用リールのハンドルは、リール本体の駆動軸に結合されるハンドルアーム５ａと、ハンドルアーム５ａの端部に固定された支軸２０と、支軸２０に軸受２８を介して回転自在に抜け止めされ且つ断面形状が略円形を成すハンドル摘み５ｂとを有し、ハンドル摘み５ｂは、先端部２２ｂに向けて軸方向に沿って連続的に外径が大きくなる膨大部２２ｃと、膨大部２２ｃと根元側端部２２ａとの間に形成され且つその外径が軸受２８の外径よりも小さい小径領域２５を含む挟持部２２ｄとを有していることを特徴とする。【選択図】図５
2006061124.tif 000002
【特許請求の範囲】
【請求項１】
魚釣用リールのリール本体の駆動軸に結合されるハンドルアームと、該ハンドルアームの端部に固定された支軸と、該支軸に軸受を介して回転自在に抜け止めされ且つその軸方向と直交する面内での断面形状が略円形を成すハンドル摘みとを有する魚釣用リールのハンドルにおいて、
前記ハンドル摘みは、前記ハンドルアームに近接して位置される根元側端部と、この根元側端部と反対側の先端部と、該先端部に向けて軸方向に沿って連続的に外径が大きくなる膨大部と、該膨大部と前記根元側端部との間に形成され且つその外径が前記軸受の外径よりも小さい小径領域を含む挟持部とを有していることを特徴とする魚釣用リールのハンドル。
【請求項２】
前記ハンドル摘みの前記挟持部は、軸方向に沿って凹状に湾曲形成されていることを特徴とする請求項１に記載の魚釣用リールのハンドル。
【請求項３】
前記ハンドル摘みの前記根元側端部および前記先端部が軸受を介して前記支軸に対して回転自在に支持されていることを特徴とする請求項１または請求項２に記載の魚釣用リールのハンドル。
【発明の詳細な説明】
【技術分野】
【０００１】
本発明は、魚釣用リールのリール本体の駆動機構に連結され、釣糸の巻き取り操作を行なうためのハンドルの改良に関する。
【背景技術】
【０００２】
一般に、魚釣用リールの駆動機構に連結されるハンドルのアーム部（以下、ハンドルアームと称する）の端部には、ハンドルを回転操作するために指で握持される摘み（以下、ハンドル摘みと称する）が回転自在に支持されている。このハンドル摘みの形状は、リールの種類、サイズ、釣法等によって異なるが、多くの場合、Ｔ字形状（例えば、特許文献１参照）またはＩ字形状（例えば、特許文献２および特許文献３参照）に大別することができる。また、Ｉ字形状としては、軸方向側面視が略小判形状のもの、あるいは、軸方向側面視が円形状のもの等が知られている。
【特許文献１】実開平４−４９９６９号公報
【特許文献２】特開２００１−２８９８１号公報
【特許文献３】特開平１１−２８０３９号公報
【発明の開示】
【発明が解決しようとする課題】
【０００３】
ところで、ハンドル摘みが特許文献１に開示されているようにＴ字形状を成している場合には、ハンドル摘みを指で挟持する方向が必然的に規定されてしまう。すなわち、Ｔ字形状のハンドル摘みは、ハンドルアームから延びる軸部と、この軸部の先端でこれと直交して延びる挟持部（指で挟持される部分）とから成るため、前記挟持部を指で挟持する際において一定の方向性が生じてしまう。そのため、ハンドル摘みを挟持した指の挟持方向がＴ字形状によって規定される方向と一致していない場合には、ハンドルを円滑に操作できるように、ハンドル摘みを握り直さなければならなくなるといった事態も生じ得る。
【０００４】
また、Ｔ字形状のハンドル摘みは、前述したように、軸部と、この軸部と直交する挟持部とから成るため、親指と人差し指とで前記挟持部を摘んで操作する際の安定感や感触（指のフィット性）が悪く（ハンドルアームに面するハンドル摘みの側およびハンドルアームと反対側に面するハンドル摘みの側に不要な遊度や隙間が生じる）、円滑な巻き取り回転操作が行ない難いという問題がある。
【０００５】
一方、ハンドル摘みが特許文献２および特許文献３に開示されているようにＩ字形状を成している場合には、Ｔ字形状のハンドル摘みのような方向性が生じないため、ハンドル摘みを握り直さなければならなくなるといった不具合は生じない。しかしながら、Ｉ字形状のハンドル摘みの挟持領域部分は、全体的に径方向に厚肉の形状（大径）を成しているとともに、軸方向に沿って外径変化が少ないため、挟持した際の指の掛かりが少ない。そのため、ハンドル摘みに対して指がフィットしにくく（フィット性が悪い）、また、ハンドル摘みを握った指を通して微妙な魚の当りを明確に感知することも難しい（挟持操作する際の魚信感度が劣る）。
【０００６】
本発明は、前記事情に着目してなされたものであり、その目的とするところは、ハンドル摘みに対する指の挟持方向が規定されず、また、ハンドル摘みに対して指がフィットし易い、握持性および魚信感度に優れた魚釣用リールのハンドルを提供することにある。
【課題を解決するための手段】
【０００７】
前記課題を解決するために、本発明は、魚釣用リールのリール本体の駆動軸に結合されるハンドルアームと、該ハンドルアームの端部に固定された支軸と、該支軸に軸受を介して回転自在に抜け止めされ且つその軸方向と直交する面内での断面形状が略円形を成すハンドル摘みとを有する魚釣用リールのハンドルにおいて、前記ハンドル摘みは、前記ハンドルアームに近接して位置される根元側端部と、この根元側端部と反対側の先端部と、該先端部に向けて軸方向に沿って連続的に外径が大きくなる膨大部と、該膨大部と前記根元側端部との間に形成され且つその外径が前記軸受の外径よりも小さい小径領域を含む挟持部とを有していることを特徴とする。
【発明の効果】
【０００８】
本発明によれば、ハンドル摘みに対する指の挟持方向が規定されず、また、ハンドル摘みに対して指がフィットし易い、握持性および魚信感度に優れた魚釣用リールのハンドルを提供できる。
【発明を実施するための最良の形態】
【０００９】
以下、図面を参照しながら、本発明の実施形態について説明する。  
図１〜図５には、本発明の一実施形態が示されている。図１および図２に示されるように、本実施形態の魚釣用リールとしてのスピニングリール１は、リール本体１ａと、リール本体１ａから延出する脚部１ｂと、脚部１ｂの端部に形成され且つ図示しない釣竿に取り付けられる竿取付部１ｃとを有している。リール本体１ａ内には、ハンドル５が固定される駆動軸としてのハンドル軸２が回転可能に支持されている。ハンドル軸２にはドライブギア３が固定されており、このドライブギア３には、ハンドル軸２に対して直交する方向に延び且つリール本体１ａに軸受を介して回転可能に支持された管状のピニオンギア１３が噛合している。このピニオンギア１３の先端部には、ロータナット３２を介して、ベール６および釣糸案内装置１５を備えたロータ８が一体的に取り付けられている。
【００１０】
ハンドル軸２と直交する方向に延在するスプール軸９がピニオンギア１３を貫通している。この場合、スプール軸９は、ピニオンギア１３と同心的に配されており、ハンドル軸２と直交する方向に沿って前後動できる。また、スプール軸９の先端部には釣糸が巻回されるスプール１０が取り付けられている。
【００１１】
また、ドライブギア３にはピニオンギア１３を介して図示しないオシレーティング機構が係合している。このオシレーティング機構は、ピニオンギア１３と噛み合って回転するウォームシャフト（トラバースカム軸）と、このウォームシャフトの溝と噛み合い且つスプール軸９に対してその軸方向に移動不能に取り付けられたスライダとからなり、ハンドル軸２がハンドル５の回転操作によって回転されると、スプール軸９を軸方向に沿って往復駆動（前後動）する。
【００１２】
このような構成では、ハンドル５を回転操作してハンドル軸２を回転させると、前記オシレーティング機構を介してスプール軸９に取り付けられたスプール１０が前後に往復動するとともに、ドライブギア３およびピニオンギア１３を介してロータ８が回転駆動する。
【００１３】
また、図２に明確に示されるように、ハンドル軸２は、ハンドル５を左右で付け替え可能とするべく、リール本体１ａ内でスプール軸９と交差するように延びている。具体的には、ハンドル軸２の両側部は軸受を介してリール本体１ａに回転可能に支持されるとともに、ハンドル５が固定されるハンドル軸２の左右両端部は、リール本体１ａの左右両側に臨むべく、リール本体１ａの左右両側に形成された開口部に位置決めされている。
【００１４】
一方、ハンドル軸２に着脱自在に取り付けられるハンドル５は、ハンドル軸２に結合されるハンドルアーム５ａと、ハンドルアーム５ａの先端に取り付け固定された支軸２０と、支軸２０に回転自在に抜け止めされたハンドル摘み（ハンドルノブ）５ｂとからなる。
【００１５】
図３に明確に示されるように、ハンドル摘み５ｂは、好ましくは金属、カーボン等の振動伝達性の良好な材料によって形成された摘み本体２２から成り、ハンドルアーム５ａに近接して位置される根元側端部２２ａと、この根元側端部２２ａと反対側の先端部２２ｂとを有している。また、摘み本体２２は、図４に明確に示されるように、その軸方向と直交する面内での断面形状が円形を成している。更に、摘み本体２２（ハンドル摘み５ｂ）は、支軸２０をその略全長にわたって取り囲むように軸受２８を介して略同軸的に装着されている。具体的には、摘み本体２２の根元側端部２２ａおよび先端部２２ｂがそれぞれ軸受２８を介して支軸２０に回転自在に支持されている。
【００１６】
また、摘み本体２２（ハンドル摘み５ｂ）の先端側には、先端部２２ｂに向けて軸方向に沿って連続的に外径が大きくなる膨大部２２ｃが形成されている。この場合、膨大部２２ｃは、その外面が滑らかな円弧を描いており、手の指を簡単に沿わせることができる（指をフィットさせることができる）ように形成されている。また、膨大部２２ｃと根元側端部２２ａとの間、好ましくは摘み本体２２の略中央部には、軸方向に沿って凹状に湾曲形成された挟持部２２ｄが形成されている。この挟持部２２ｄは、その外径が軸受２８の外径よりも小さい小径領域２５をその略中央部に有している。
【００１７】
このように、本実施形態のハンドル摘み５ｂは、その軸方向と直交する面内での断面形状が略円形である略Ｉ字形状を成しているため、Ｔ字形状のハンドル摘みのような方向性が生じず（指で挟持する際の方向性がなく）、したがって、ハンドル摘み５ｂを握り直さなければならなくなるといった不具合は生じない。そのため、釣場の状況変化に応じて迅速にハンドル５の回転操作を行なうことができる。
【００１８】
また、本実施形態のハンドル摘み５ｂは、先端部２２ｂに向けて軸方向に沿って連続的に外径が大きくなる膨大部２２ｃと、膨大部２２ｃと根元側端部２２ａとの間に形成され且つその外径が軸受２８の外径よりも小さい小径領域２５を含む挟持部２２ｄとを有している。すなわち、軸方向に沿って外径変化があり、図５に示されるように挟持した際の指４０，４２をその外形変化部分（膨大部２２ｃから挟持部２２ｄの小径領域２５に至る部分）に簡単に引っ掛けることができる。しかも、挟持部２２ｄは、軸方向に沿って凹状に湾曲形成されているため、例えば親指４０と人差し指４２とで挟持部２２ｄを摘んで操作する際の安定感や感触（指のフィット性）が良く（挟持する指の形状（親指４０と人差し指４２の腹部先端）とのフィット性が良く）、円滑な巻き取り回転操作を行なうことができるとともに、ハンドル摘み５ｂを握った指を通して微妙な魚の当りを明確に感知することができる（挟持操作する際の魚信感度に優れる）。なお、本実施形態においては、挟持部２２ｄの小径領域２５の外径を軸受２８の外径よりも小さく設定することにより、指のフィット性が高まり、挟持部２２ｄの凹状湾曲形成が促進されることは言うまでもない。
また、本実施形態のハンドル摘み５ｂは、根元側端部２２ａおよび先端部２２ｂが軸受２８を介して支軸２０に回転自在に支持されているため、ハンドル摘み５ｂの回転性が良好となり、円滑な巻き取り操作を実現できるとともに、回転操作時のノイズの影響もなくなり、魚信感度が更に向上する。
【００１９】
なお、ハンドル摘み５ｂ（摘み本体２２）の軸方向と直交する面内での断面は、真円形状である必要はなく、例えば図６に示されるように楕円形状を成していても良く、あるいは、図７に示されるように真円の外周に所定間隔で凹み３５を設けた花びら形状を成していても良い。
【００２０】
図８には、ハンドル摘み５ｂの第１の変形例が示されている。この変形例においては、膨大部２２ｃの外周面に凹凸条の細かい段部４７が多数形成されており、膨大部２２ｃの表面の摩擦を高めて指の滑りを防止するようにしている。
図９には、ハンドル摘み５ｂの第２の変形例が示されている。この変形例においては、膨大部２２ｃの外周面に、軸方向と直交する方向に延びる細長い溝部４６が複数形成されており、膨大部２２ｃの表面の摩擦を高めて指の滑りを防止するようにしている。
図１０には、ハンドル摘み５ｂの第３の変形例が示されている。この変形例においては、根元側端部２２ａに段差部４８が形成されており、挟持部２２ｄを挟持する指の先端をこの段差部４８に突き当てることで指の位置決め（指の安定した挟持）を行なえるようになっている。
【産業上の利用可能性】
【００２１】
本発明は、スピニングリールに限らず、両軸受型リールを含む様々な種類の魚釣用リールに適用することができる。
【図面の簡単な説明】
【００２２】
【図１】本発明の一実施形態が適用される魚釣用スピニングリールの側面図である。
【図２】図１のスピニングリールの背面図である。
【図３】図１のスピニングリールのハンドルにおけるハンドル摘みの断面図である。
【図４】（ａ）は図３のＡ−Ａ線に沿う断面図、（ｂ）は図３のＢ−Ｂ線に沿う断面図、（ｃ）は図３のＣ−Ｃ線に沿う断面図である。
【図５】図３のハンドル摘みを指で挟持した状態を示す図である。
【図６】ハンドル摘みの断面形状の変形例を示す断面図である。
【図７】ハンドル摘みの断面形状の他の変形例を示す断面図である。
【図８】ハンドル摘みの第１の変形例を示す断面図である。
【図９】ハンドル摘みの第２の変形例を示す断面図である。
【図１０】ハンドル摘みの第３の変形例を示す断面図である。
【符号の説明】
【００２３】
１    スピニングリール（魚釣用リール）
１ａ    リール本体
２    ハンドル軸（駆動軸）
５    ハンドル
５ａ    ハンドルアーム
５ｂ    ハンドル摘み
２０    支軸
２２    摘み本体
２２ａ    根元側端部
２２ｂ    先端部
２２ｃ    膨大部
２２ｄ    挟持部
２５    小径領域
２８    軸受
【図１】
2006061124.tif 000003
【図２】
2006061124.tif 000004
【図３】
2006061124.tif 000005
【図４】
2006061124.tif 000006
【図５】
2006061124.tif 000007
【図６】
2006061124.tif 000008
【図７】
2006061124.tif 000009
【図８】
2006061124.tif 000010
【図９】
2006061124.tif 000011
【図１０】
2006061124.tif 000012